(57)【特許請求の範囲】
【請求項１】
筐体と、表示面を有し側面部にピンが形成されたディスプレイ本体と、前記ディスプレイ本体の前記側面部近傍に配置され前記ピンを案内することによって前記ディスプレイ本体の移動を案内する案内溝が形成された案内部材とを備え、
前記案内溝が、前記ディスプレイ本体を、複数の停止位置で停止させ、前記ディスプレイ本体の移動中は停止中と比較して前記表示面とは反対側に後退させる形状であり、前記複数の停止位置において前記ディスプレイ本体の前記表示面と前記筐体とが接触することを特徴とするディスプレイ装置。
【請求項２】
前記案内溝の前記ディスプレイ本体が停止する停止位置近傍部が、前記表示面に略平行な方向に対して４５度以下に傾斜していることを特徴とする請求項１に記載のディスプレイ装置。
【請求項３】
前記ディスプレイ本体を、前記表示面側に付勢する付勢手段を備えたことを特徴とする請求項１又は２に記載のディスプレイ装置。
【請求項４】
前記ディスプレイ本体が前記停止位置に位置するとき、前記ピンが前記案内溝と複数箇所で接触することを特徴とする請求項３に記載のディスプレイ装置。
【請求項５】
前記ピンが、前記ディスプレイ本体の対向する２つの前記側面部にそれぞれ複数形成され、前記案内部材に複数の前記案内溝が形成され、前記複数の案内溝が前記複数のピンにそれぞれ相対するように配置されたことを特徴とする請求項１から４までの何れかに記載のディスプレイ装置。
【請求項６】
駆動モータと、前記駆動モータが出力した回転を変換するギヤブロックと、前記ギヤブロックの移動に伴い回転する突起部と、前記突起部の回転を前記ディスプレイ本体に前記表示面に平行な方向の移動に変換する機構とを備えたことを特徴とする請求項１から５までの何れかに記載のディスプレイ装置。
【請求項７】
請求項６に記載のディスプレイ装置の駆動方法であって、
前記ディスプレイ本体が移動して前記停止位置に近づくとき、前記駆動モータで駆動する前記ディスプレイ本体の移動速度を徐々に下げることを特徴とするディスプレイ装置の駆動方法。
【請求項８】
前記ディスプレイ本体が移動して前記停止位置に近づくとき、前記駆動モータの動作電圧をパルス信号で制御することを特徴とする請求項７に記載のディスプレイ装置の駆動方法。
【請求項９】
前記ディスプレイ本体が移動して前記停止位置に近づくとき、前記駆動モータの動作電圧を徐々に下げることを特徴とする請求項７記載のディスプレイ装置の駆動方法。
【発明の詳細な説明】
【０００１】
【発明の属する技術分野】
本発明は、移動可能なディスプレイ本体を備えたディスプレイ装置に関するものである。
【０００２】
【従来の技術】
従来、ディスプレイ本体が移動可能なディスプレイ装置として、以下に説明するナビゲーション装置９００のようなディスプレイ装置が知られている。
【０００３】
図１４において、車載用のナビゲーション装置９００は、ナビゲーション機能だけでなく、テレビ機能やオーディオ機能などを備えており、筐体９１０の前面９１０ａに、表示面９２０ａに様々な情報を画像表示するディスプレイ本体９２０と、利用者によって操作入力される操作入力部９３０とを備えている。
【０００４】
また、ナビゲーション装置９００は、筐体９１０に形成されたディスプレイ本体移動孔９１０ｂ内でディスプレイ本体９２０を移動させて、図１４（ａ）に示す第１の位置と、図１４（ｂ）に示す第２の位置と、図１４（ｃ）に示す第３の位置とで停止させることができるようになっている。そして、ナビゲーション装置９００は、ディスプレイ本体９２０を図１４（ａ）に示す第１の位置で停止させたとき、ディスプレイ本体９２０に画像表示させる様々な情報を筐体９１０に形成された前面孔９１０ｃを介して利用者に取得させることができ、ディスプレイ本体９２０を図１４（ｂ）に示す第２の位置で停止させたとき、筐体９１０に形成されたＣＤ（Compact Disc）挿入口９１０ｄが前面孔９１０ｃを介して前面９１０ａ側に現れて、利用者によってＣＤが前面孔９１０ｃを介してＣＤ挿入口９１０ｄに挿入されることができ、ディスプレイ本体９２０を図１４（ｃ）に示す第３の位置で停止させたとき、筐体９１０に形成されたＭＤ（Mini Disc）挿入口９１０ｅが前面孔９１０ｃを介して前面９１０ａ側に現れて、利用者によってＭＤが前面孔９１０ｃを介してＭＤ挿入口９１０ｅに挿入されることができるようになっている。
【０００５】
また、ナビゲーション装置９００は、図１５及び図１６に示すように、車両のダッシュボード９５０の前面９５０ａ側から前面孔９５０ｂを介してダッシュボード９５０内に収納されている。
【０００６】
ここで、ディスプレイ本体９２０が図１５（ａ）に示す第１の位置から図１５（ｂ）に示す第２の位置、或いは、図１５（ｃ）に示す第３の位置に移動する場合の動作について説明する。
【０００７】
まず、ディスプレイ本体９２０が図１５（ａ）に示す第１の位置にある場合に、利用者によってディスプレイ本体９２０の位置を図１５（ｂ）に示す第２の位置、或いは、図１５（ｃ）に示す第３の位置に変更することが操作入力部９３０から入力されると、ナビゲーション装置９００は、図示していない第１の駆動モータによって、ディスプレイ本体９２０を矢印９００ａの方向に図１６（ａ）に示す位置まで後退させる。次いで、ナビゲーション装置９００は、ディスプレイ本体９２０の位置を図１５（ｂ）に示す第２の位置に変更することが操作入力部９３０から入力された場合には、ディスプレイ本体９２０を図示していない第２の駆動モータによって矢印９００ｂの方向に図１６（ｂ）に示す位置まで移動させ、ディスプレイ本体９２０の位置を図１５（ｃ）に示す第３の位置に変更することが操作入力部９３０から入力された場合には、ディスプレイ本体９２０を図示していない第２の駆動モータによって矢印９００ｄの方向に図１６（ｃ）に示す位置まで移動させる。最後に、ナビゲーション装置９００は、再び第１の駆動モータによって、図１６（ｂ）或いは図１６（ｃ）に示す位置にあるディスプレイ本体９２０を矢印９００ｃの方向に前進させて、それぞれ図１５（ｂ）に示す第２の位置或いは図１５（ｃ）に示す第３の位置に停止させる。
【０００８】
また、ディスプレイ本体９２０が図１５（ｂ）に示す第２の位置から図１５（ａ）に示す第１の位置、或いは、図１５（ｃ）に示す第３の位置に移動する場合や、ディスプレイ本体９２０が図１５（ｃ）に示す第３の位置から図１５（ａ）に示す第１の位置、或いは、図１５（ｂ）に示す第２の位置に移動する場合も、ディスプレイ本体９２０が図１５（ａ）に示す第１の位置から図１５（ｂ）に示す第２の位置、或いは、図１５（ｃ）に示す第３の位置に移動する場合と同様に動作する。
【０００９】
上述の動作について要約すると、ナビゲーション装置９００は、図１５（ａ）に示す第１の位置、図１５（ｂ）に示す第２の位置、及び、図１５（ｃ）に示す第３の位置にあるディスプレイ本体９２０を、第１の駆動モータによって矢印９００ａの方向にそれぞれ図１６（ａ）に示す位置、図１６（ｂ）に示す位置、及び、図１６（ｃ）に示す位置まで後退させ、第２の駆動モータによって矢印９００ｂ又は矢印９００ｄの方向に図１６（ａ）に示す位置、図１６（ｂ）に示す位置、又は、図１６（ｃ）に示す位置まで移動させた後、再び第１の駆動モータによって矢印９００ｃの方向に前進させて、図１５（ａ）に示す第１の位置、図１５（ｂ）に示す第２の位置、又は、図１５（ｃ）に示す第３の位置に停止させる。
【００１０】
ナビゲーション装置９００は、ディスプレイ本体９２０の位置を、図１５（ａ）に示す第１の位置、図１５（ｂ）に示す第２の位置、又は、図１５（ｃ）に示す第３の位置の間で変更する際、ディスプレイ本体９２０を上述したように移動することによって、移動中に筐体９１０に擦り付けられることによる表示面９２０ａの損傷を防止している。
【００１１】
なお、ディスプレイ本体９２０は、図１５（ｂ）に示す第２の位置、及び、図１５（ｃ）に示す第３の位置にある場合、ディスプレイ本体移動孔９１０ｂから筐体９１０の外部に突出するが、ダッシュボード９５０には、ディスプレイ本体９２０が突出することができるように空間９５０ｃが設けられているので、ディスプレイ本体９２０が筐体９１０の外部に突出してダッシュボード９５０に衝突することはないようになっている。
【００１２】
【発明が解決しようとする課題】
しかしながら、上記従来のナビゲーション装置９００においては、移動中に筐体９１０に擦り付けられることによる表示面９２０ａの損傷を防止するために、２つの駆動モータ、即ち、ディスプレイ本体９２０を矢印９００ａ又は矢印９００ｃの方向に移動させる第１の駆動モータと、ディスプレイ本体９２０を矢印９００ｂ又は矢印９００ｄの方向に移動させる第２の駆動モータとが必要であるという問題があった。
【００１３】
そこで、本発明は、１方向の駆動力を加えることのみによって、ディスプレイ本体に複数の停止位置間を移動させることができるとともに、移動中のディスプレイ本体の表示面と他の部材との擦り合いを防止することができるディスプレイ装置を提供することを目的とする。
【００１４】
【課題を解決するための手段】
上記課題を解決するために、本発明のディスプレイ装置は、筐体と、表示面を有し側面部にピンが形成されたディスプレイ本体と、前記ディスプレイ本体の前記側面部近傍に配置され前記ピンを案内することによって前記ディスプレイ本体の移動を案内する案内溝が形成された案内部材とを備え、前記案内溝が、前記ディスプレイ本体を、複数の停止位置で停止させ、前記ディスプレイ本体の移動中は停止中と比較して前記表示面とは反対側に後退させる形状であり、前記複数の停止位置において前記ディスプレイ本体の前記表示面と前記筐体とが接触する構成を有するものである。この構成により、本発明のディスプレイ装置は、案内溝によってディスプレイ本体に形成されたピンを案内することができ、１方向の駆動力を加えることのみによって、ディスプレイ本体に複数の停止位置間を移動させることができるとともに、移動中のディスプレイ本体の表示面と他の部材との擦り合いを防止することができる。例えば、本発明のディスプレイ装置は、ディスプレイ本体の表示面に略平行な駆動力のみを加える場合であっても、案内溝の形状によっては、ディスプレイ本体を、停止位置と比較して表示面とは反対側に後退させながら、表示面に略平行な方向に移動させることができる。
【００１５】
また、本発明のディスプレイ装置は、前記案内溝の前記ディスプレイ本体が停止する停止位置近傍部が、前記表示面に略平行な方向に対して４５度以下に傾斜している構成を有するものである。この構成により、本発明のディスプレイ装置は、ディスプレイ本体の表示面に略平行な駆動力のみを加える場合、ピンが案内溝に沿って移動し易くなり、駆動力がディスプレイ本体に伝達され易くなる。
【００１６】
また、本発明のディスプレイ装置は、前記ディスプレイ本体を、前記表示面側に付勢する付勢手段を備えた構成を有するものである。この構成により、本発明のディスプレイ装置は、ピンを案内溝に一層安定して沿わせることができるので、ディスプレイ本体を一層安定して移動させることができる。
【００１７】
また、本発明のディスプレイ装置は、前記ディスプレイ本体が前記停止位置に位置するとき、前記ピンが前記案内溝と複数箇所で接触する構成を有するものである。この構成により、本発明のディスプレイ装置は、ピンの停止位置での据わりが良くなり、ディスプレイ本体を安定して停止位置に停止させることができる。
【００１８】
また、本発明のディスプレイ装置は、前記ピンが、前記ディスプレイ本体の対向する２つの前記側面部にそれぞれ複数形成され、前記案内部材に複数の前記案内溝が形成され、前記複数の案内溝が前記複数のピンにそれぞれ相対するように配置された構成を有するものである。この構成により、本発明のディスプレイ装置は、ディスプレイ本体が何れかの案内部材側に傾くことや、ピンを中心として回転することを抑制することができるので、ディスプレイ本体を一層安定して移動させることができる。
【００１９】
また、本発明のディスプレイ装置は、駆動モータと、前記駆動モータが出力した回転を変換するギヤブロックと、前記ギヤブロックの移動に伴い回転する突起部と、前記突起部の回転を前記ディスプレイ本体に前記表示面に平行な方向の移動に変換する機構とを備えた構成を有するものである。この構成により、本発明のディスプレイ装置は、駆動モータによってディスプレイ本体に駆動力を加えることができる。なお、本発明のディスプレイ装置は、上述したナビゲーション装置９００の第１の駆動モータのような、ディスプレイ本体に表示面に略垂直な方向の駆動力を与える駆動モータを備える必要がなくなり、従来と比較して駆動モータの数を削減することができる。
【００２３】
また、本発明のディスプレイ装置の駆動方法は、前記ディスプレイ本体が移動して前記停止位置に近づくとき、前記駆動モータで駆動する前記ディスプレイ本体の移動速度を徐々に下げる構成を有するものである。この構成により、本発明の駆動方法を適用したディスプレイ装置は、停止位置近傍でのディスプレイ本体の移動速度を比較的低速に抑えることができるので、ディスプレイ本体を所定の停止位置で停止することができるとともに、ディスプレイ本体が停止位置で停止する際のピン及び案内部材の衝突音を抑制することができる。
【００２４】
また、本発明のディスプレイ装置の駆動方法は、前記ディスプレイ本体が移動して前記停止位置に近づくとき、前記駆動モータの動作電圧をパルス信号で制御する構成を有するものである。この構成により、本発明の駆動方法を適用したディスプレイ装置は、停止位置近傍でのディスプレイ本体の移動速度を比較的低速に抑えることができるので、ディスプレイ本体を所定の停止位置で停止することができるとともに、ディスプレイ本体が停止位置で停止する際のピン及び案内部材の衝突音を抑制することができる。
【００２５】
また、本発明のディスプレイ装置の駆動方法は、前記ディスプレイ本体が移動して前記停止位置に近づくとき、前記駆動モータの動作電圧を徐々に下げる構成を有するものである。この構成により、本発明の駆動方法を適用したディスプレイ装置は、停止位置近傍でのディスプレイ本体の移動速度を比較的低速に抑えることができるので、ディスプレイ本体を所定の停止位置で停止することができるとともに、ディスプレイ本体が停止位置で停止する際のピン及び案内部材の衝突音を抑制することができる。
【００２６】
【発明の実施の形態】
以下、本発明の一実施の形態について、図面を用いて説明する。
【００２７】
まず、本実施の形態に係るディスプレイ装置としてのナビゲーション装置１００の構成について説明する。
【００２８】
図１〜図３において、車載用のナビゲーション装置１００は、ナビゲーション機能だけでなく、テレビ機能やオーディオ機能などを備えており、筐体１１０の前面１１０ａに、表示面１２０ａに様々な情報を画像表示するとともに、側面部１２１に２つのピン１２１ａ及びピン１２１ｂを形成し、側面部１２２に２つのピン１２２ａ及びピン１２２ｂを形成するディスプレイ本体１２０と、利用者によって操作入力される操作入力部１３０とを備えている。
【００２９】
また、ナビゲーション装置１００は、ディスプレイ本体１２０の側面部１２１近傍に配置されるとともに、ピン１２１ａ及びピン１２１ｂを案内することによって、ディスプレイ本体１２０の移動を案内する案内溝（以下、カムという。）１４１ａ及びカム１４１ｂを形成する案内部材１４１と、ディスプレイ本体１２０の側面部１２１に対向する側面部１２２近傍に配置されるとともに、ピン１２２ａ及びピン１２２ｂを案内することによって、ディスプレイ本体１２０の移動を案内するカム１４２ａ及びカム１４２ｂを形成する案内部材１４２とを備えている。なお、案内部材１４１及び案内部材１４２は、筐体１１０の一部であるディスプレイ本体裏側板１１１に固定されている。
【００３０】
また、ナビゲーション装置１００は、ディスプレイ本体裏側板１１１のディスプレイ本体１２０とは反対側に、矢印１５１ａ方向の回転を出力する駆動モータ１５１と、駆動モータ１５１の回転をジョイントレバー１５２の矢印１５２ａ方向の移動に変換するギヤブロック１５３とを備え、ディスプレイ本体裏側板１１１のディスプレイ本体１２０側に、ディスプレイ本体裏側板１１１の穴１１１ａ及び穴１１１ｂを介してディスプレイ本体裏側板１１１のディスプレイ本体１２０とは反対側に突出するとともに、ギヤブロック１５３の移動に伴い穴１１１ａ及び穴１１１ｂに沿って矢印１５４ａ及び矢印１５５ａ方向に回転する突起部１５４及び突起部１５５と、突起部１５４及び突起部１５５の回転を、表示面１２０ａに略平行な方向、即ち、矢印１００ａの方向のディスプレイ本体１２０の移動に変換する機構（図示していない。）と、ディスプレイ本体１２０を表示面１２０ａ側、即ち、矢印１００ｂの方向に付勢する付勢手段としてのバネ（図示していない。）とを備えている。したがって、駆動モータ１５１は、ディスプレイ本体１２０を矢印１００ａの方向に移動させるようになっている。
【００３１】
なお、カム１４１ａ、カム１４１ｂ、カム１４２ａ及びカム１４２ｂは、ディスプレイ本体１２０を、筐体１１０に形成されたディスプレイ本体移動孔１１０ｂ内で複数の停止位置（図１（ａ）、図２及び図３に示す第１の位置、図１（ｂ）、図４及び図５に示す第２の位置、及び、図１（ｃ）、図６及び図７に示す第３の位置）で停止させるとともに、ディスプレイ本体１２０の移動中は停止中と比較して表示面１２０ａとは反対側、即ち、矢印１００ｃの方向に後退させるようになっている。
【００３２】
ここで、ナビゲーション装置１００は、ディスプレイ本体１２０を図１（ａ）、図２及び図３に示す第１の位置で停止させたとき、ディスプレイ本体１２０に画像表示させる様々な情報を筐体１１０に形成された前面孔１１０ｃを介して利用者に取得させることができるようになっている。また、ナビゲーション装置１００は、ディスプレイ本体１２０を図１（ｂ）、図４及び図５に示す第２の位置で停止させたとき、筐体１１０に形成されたＣＤ挿入口１１０ｄが前面孔１１０ｃを介して前面１１０ａ側に現れて、利用者によってＣＤが前面孔１１０ｃを介してＣＤ挿入口１１０ｄに挿入されることができるようになっている。また、ナビゲーション装置１００は、ディスプレイ本体１２０を図１（ｃ）、図６及び図７に示す第３の位置で停止させたとき、筐体１１０に形成されたＭＤ挿入口１１０ｅが前面孔１１０ｃを介して前面１１０ａ側に現れて、利用者によってＭＤが前面孔１１０ｃを介してＭＤ挿入口１１０ｅに挿入されることができるようになっている。
【００３３】
なお、ナビゲーション装置１００は、図８及び図９に示すように、車両のダッシュボード３５０の前面３５０ａ側から前面孔３５０ｂを介してダッシュボード３５０内に収納されている。
【００３４】
次に、本実施の形態に係るナビゲーション装置１００の動作について説明する。
【００３５】
ディスプレイ本体１２０が図８（ａ）に示す第１の位置から図８（ｂ）に示す第２の位置、或いは、図８（ｃ）に示す第３の位置に移動する場合の動作について説明する。
【００３６】
まず、ディスプレイ本体１２０が図８（ａ）に示す第１の位置にある場合に、利用者によってディスプレイ本体１２０の位置を図８（ｂ）に示す第２の位置、或いは、図８（ｃ）に示す第３の位置に変更することが操作入力部１３０から入力されると、ナビゲーション装置１００は、ディスプレイ本体１２０の位置を図８（ｂ）に示す第２の位置に変更することが操作入力部１３０から入力された場合には、ディスプレイ本体１２０に形成されたピン１２１ａ、ピン１２１ｂ、ピン１２２ａ及びピン１２２ｂをカム１４１ａ、カム１４１ｂ、カム１４２ａ及びカム１４２ｂによって案内しながら、ディスプレイ本体１２０を駆動モータ１５１によって矢印１００ａの方向に図９（ａ）に示す位置まで移動させ、ディスプレイ本体１２０の位置を図８（ｃ）に示す第３の位置に変更することが操作入力部１３０から入力された場合には、ディスプレイ本体１２０に形成されたピン１２１ａ、ピン１２１ｂ、ピン１２２ａ及びピン１２２ｂをカム１４１ａ、カム１４１ｂ、カム１４２ａ及びカム１４２ｂによって案内しながら、ディスプレイ本体１２０を駆動モータ１５１によって矢印１００ａの方向に図９（ｂ）に示す位置まで移動させる。そして、ナビゲーション装置１００は、ディスプレイ本体１２０に形成されたピン１２１ａ、ピン１２１ｂ、ピン１２２ａ及びピン１２２ｂをカム１４１ａ、カム１４１ｂ、カム１４２ａ及びカム１４２ｂによって案内しながら、駆動モータ１５１によって、図９（ａ）或いは図９（ｂ）に示す位置にあるディスプレイ本体１２０を矢印１００ａの方向に更に移動させて、それぞれ図８（ｂ）に示す第２の位置或いは図８（ｃ）に示す第３の位置に停止させる。
【００３７】
また、ディスプレイ本体１２０が図８（ｂ）に示す第２の位置から図８（ａ）に示す第１の位置、或いは、図８（ｃ）に示す第３の位置に移動する場合や、ディスプレイ本体１２０が図８（ｃ）に示す第３の位置から図８（ａ）に示す第１の位置、或いは、図８（ｂ）に示す第２の位置に移動する場合も、ディスプレイ本体１２０が図８（ａ）に示す第１の位置から図８（ｂ）に示す第２の位置、或いは、図８（ｃ）に示す第３の位置に移動する場合と同様に動作する。
【００３８】
上述の動作について要約すると、ナビゲーション装置１００は、図８（ａ）に示す第１の位置、図８（ｂ）に示す第２の位置、及び、図８（ｃ）に示す第３の位置にあるディスプレイ本体１２０を、駆動モータ１５１によって矢印１００ａの方向にそれぞれ図９（ａ）に示す位置、及び、図９（ｂ）に示す位置まで移動させた後、更に駆動モータ１５１によって矢印１００ａの方向に移動させて、図８（ａ）に示す第１の位置、図８（ｂ）に示す第２の位置、又は、図８（ｃ）に示す第３の位置に停止させる。
【００３９】
なお、ディスプレイ本体１２０は、図８（ｂ）に示す第２の位置、及び、図８（ｃ）に示す第３の位置にある場合、ディスプレイ本体移動孔１１０ｂから筐体１１０の外部に突出するが、ダッシュボード３５０には、ディスプレイ本体１２０が突出することができるように空間３５０ｃが設けられているので、ディスプレイ本体１２０が筐体１１０の外部に突出してダッシュボード３５０に衝突することはない。
【００４０】
上述したように、ナビゲーション装置１００は、カム１４１ａ、カム１４１ｂ、カム１４２ａ及びカム１４２ｂによってディスプレイ本体１２０に形成されたピン１２１ａ、ピン１２１ｂ、ピン１２２ａ及びピン１２２ｂを案内することができ、駆動モータ１５１によって矢印１００ａ方向という１方向の駆動力を加えることのみによって、ディスプレイ本体１２０に複数の停止位置間を移動させることができる。
【００４１】
また、ナビゲーション装置１００は、カム１４１ａ、カム１４１ｂ、カム１４２ａ及びカム１４２ｂの形状によって、ディスプレイ本体１２０に複数の停止位置以外の位置を移動させている場合、ディスプレイ本体１２０を複数の停止位置の何れかに停止させている場合と比較して、ディスプレイ本体１２０を矢印１００ｃの方向に後退させるようになっているので、移動中のディスプレイ本体１２０の表示面１２０ａと他の部材、即ち、筐体１１０との擦り合いを防止することができる。
【００４２】
また、ナビゲーション装置１００は、ディスプレイ本体１２０を矢印１００ｃの方向に付勢するバネを備えた構成を有しており、ピン１２１ａ、ピン１２１ｂ、ピン１２２ａ及びピン１２２ｂをカム１４１ａ、カム１４１ｂ、カム１４２ａ及びカム１４２ｂに一層安定して沿わせることができるので、ディスプレイ本体１２０を一層安定して移動させることができる。なお、本実施の形態において、付勢手段としてバネを用いていたが、本発明によれば、付勢手段は、ディスプレイ本体１２０を矢印１００ｃの方向に付勢することが可能であれば、他の構成であっても良い。更に、本発明によれば、ナビゲーション装置１００は、付勢手段を設けずに、ピン１２１ａ、ピン１２１ｂ、ピン１２２ａ及びピン１２２ｂをカム１４１ａ、カム１４１ｂ、カム１４２ａ及びカム１４２ｂに沿わせても良い。
【００４３】
また、本実施形態において、カム１４１ａは、図１０（ａ）に示すような形状になっていたが、本発明によれば、図１０（ａ）に示すような形状に限らず、様々な形状を採ることができる。例えば、ディスプレイ本体１２０がバネによって矢印１００ｂの方向に付勢されているので、カム１４１ａは、図１０（ｂ）や図１０（ｃ）に示すような形状になっていても良い。なお、図１０においては、ディスプレイ本体１２０が第１の位置にあるときのピン１２１ａをピン１２１ａ1とし、ディスプレイ本体１２０が第２の位置にあるときのピン１２１ａをピン１２１ａ2とし、ディスプレイ本体１２０が第３の位置にあるときのピン１２１ａをピン１２１ａ3として、それぞれ点線で示している。
【００４４】
カム１４１ａが図１０（ａ）に示すような形状である場合、ディスプレイ本体１２０が第２の位置から第１の位置に移動する際、或いは、ディスプレイ本体１２０が第３の位置から第１の位置に移動する際、ピン１２１ａがカム１４１ａの突起部１４１ａ1に衝突して衝突音を発する可能性があるが、カム１４１ａが図１０（ｂ）及び図１０（ｃ）に示すような形状である場合、図１０（ａ）に示す突起部１４１ａ1のような突起が無いので、ピン１２１ａと突起部１４１ａ1とが衝突することによって発生していた衝突音を防止することができる。
【００４５】
また、カム１４１ａが図１０（ａ）に示すような形状である場合、ディスプレイ本体１２０が停止位置に位置するとき、ピン１２１ａはカム１４１ａに１箇所（接触部分１４１ａ2）で接触するようになっているが、カム１４１ａが図１０（ｂ）及び図１０（ｃ）に示すような形状である場合、ディスプレイ本体１２０が停止位置に位置するとき、ピン１２１ａはカム１４１ａに２箇所（接触部分１４１ａ3及び接触部分１４１ａ4）で接触するようになっているので、ピン１２１ａの停止位置での据わりが良くなり、ディスプレイ本体１２０を安定して停止位置に停止させることができる。
【００４６】
また、図１０において、部分１４１ａ5が矢印１００ａの方向に対して傾斜する角度１９０は、４５度より大きくなっているが、カム１４１ａのディスプレイ本体１２０が停止する停止位置近傍部のうち、部分１４１ａ5以外の部分が矢印１００ａの方向に対して傾斜する角度は、４５度以下になっているので、カム１４１ａのディスプレイ本体１２０が停止する停止位置近傍部のうち、部分１４１ａ5以外の部分では、部分１４１ａ5と比較して、ピン１２１ａがカム１４１ａに沿って移動し易く、駆動モータ１５１からの矢印１００ａの方向の駆動力がディスプレイ本体１２０に容易に伝達され易い。
【００４７】
なお、以上においては、カム１４１ａの形状について説明したが、カム１４１ｂ、カム１４２ａ及びカム１４２ｂの形状についてもカム１４１ａの形状と同様である。
【００４８】
また、本実施の形態において、ディスプレイ本体１２０の側面部１２１には、２つのピン（ピン１２１ａ及びピン１２１ｂ）が形成されるとともに、近傍に案内部材１４１が配置されており、ディスプレイ本体１２０の側面部１２１に対向するディスプレイ本体１２０の側面部１２２には、２つのピン（ピン１２２ａ及びピン１２２ｂ）が形成されるとともに、近傍に案内部材１４２が配置されている。したがって、ナビゲーション装置１００は、ディスプレイ本体１２０が案内部材１４１側或いは案内部材１４２側に傾くことや、ピン１２１ａ、ピン１２１ｂ、ピン１２２ａ及びピン１２２ｂのうち何れかを中心として回転することを抑制することができ、ディスプレイ本体１２０を一層安定して移動させることができる。なお、本発明によれば、ナビゲーション装置１００は、案内部材１４１或いは案内部材１４２の何れか一方を備えずに、ディスプレイ本体１２０が案内部材１４１側或いは案内部材１４２側に傾くことを抑制することができる他の構成を備えていても良い。また、ナビゲーション装置１００は、１つの案内部材に複数のピンを備えずに、ディスプレイ本体１２０がピンを中心として回転することを抑制することができる他の構成を備えていても良い。
【００４９】
また、ナビゲーション装置１００は、ディスプレイ本体１２０に矢印１００ａの方向の動作力を与える駆動モータ１５１のみを駆動源として備えており、上述したナビゲーション装置９００の第１の駆動モータのような、ディスプレイ本体１２０に矢印１００ｂ又は矢印１００ｃの方向の駆動力を与える駆動モータを備える必要がなくなり、従来と比較して駆動モータの数を削減することができる。なお、ナビゲーション装置１００は、駆動モータ１５１を備えずに、ディスプレイ本体１２０を矢印１００ａの方向に、例えば手動で移動させる構成であっても良い。
【００５０】
以下、駆動モータ１５１の駆動方法について、ディスプレイ本体１２０が第２の位置から第１の位置に移動する場合を例にとって説明する。なお、以下の説明において、ピン１２１ａ、ピン１２１ｂ、ピン１２２ａ及びピン１２２ｂの移動については、ピン１２１ａの移動についてのみ述べて、説明を簡略にしている。
【００５１】
図１１に示すように、駆動モータ１５１に一定の動作電圧を負荷すると、まず、バネによって矢印１００ｂの方向に付勢されたピン１２１ａが駆動モータ１５１によって位置２０１（図１０参照）から位置２０２（図１０参照）に徐々に速度を上げながら移動する。次いで、ピン１２１ａは一定の速度で位置２０２から位置２０３（図１０参照）に移動した後、位置２０４（図１０参照）に徐々に速度を上げながら移動する。最後に、駆動モータ１５１への動作電圧の負荷を停止すると、ピン１２１ａは停止する。
【００５２】
ここで、図１１（ｃ）に示すように、位置２０３から位置２０４の間は、駆動モータ１５１に負荷される動作電圧が一定であったとしても、バネ及びカム１４１ａによってピン１２１ａの速度が上昇してしまう。その結果、位置２０４でのピン１２１ａの速度が比較的大きくなり、速度によっては、ディスプレイ本体１２０が慣性によって第２の位置で正確に停止できない可能性もある。
【００５３】
そこで、図１２に示すように、駆動モータ１５１に負荷する動作電圧を、ディスプレイ本体１２０が移動して第２の位置に近づくときパルスさせると、ディスプレイ本体１２０の移動は次のようになる。まず、バネによって矢印１００ｂの方向に付勢されたピン１２１ａが駆動モータ１５１によって位置２０１から位置２０２に徐々に速度を上げながら移動する。次いで、ピン１２１ａは一定の速度で位置２０２から位置２０３に移動した後、位置２０４に徐々に速度を下げながら移動する。最後に、駆動モータ１５１への動作電圧の負荷を停止すると、ピン１２１ａは位置２０４で停止する。したがって、ナビゲーション装置１００は、駆動モータ１５１に図１２（ａ）に示すような動作電圧を負荷した場合、ディスプレイ本体１２０が第２の位置上を通過する前から、駆動モータ１５１で駆動するディスプレイ本体１２０の移動速度を徐々に下げ、第２の位置近傍でのディスプレイ本体１２０の移動速度を比較的低速に抑えることができるので、駆動モータ１５１に図１１（ａ）に示すような動作電圧を負荷した場合と比較してより正確に、ディスプレイ本体１２０を第２の位置で停止することができる。
【００５４】
また、ナビゲーション装置１００は、駆動モータ１５１に図１２（ａ）に示すような動作電圧を負荷した場合、ディスプレイ本体１２０が第２の位置上を通過する前から、駆動モータ１５１で駆動するディスプレイ本体１２０の移動速度を徐々に下げ、第２の位置近傍でのディスプレイ本体１２０の移動速度を比較的低速に抑えることができるので、駆動モータ１５１に図１１（ａ）に示すような動作電圧を負荷した場合と比較して、ディスプレイ本体１２０が第２の位置で停止する際のピン１２１ａ及び案内部材１４１の衝突音を抑制することができる。
【００５５】
また、図１３に示すように、駆動モータ１５１に負荷する動作電圧を、ディスプレイ本体１２０が移動して第２の位置に近づくとき徐々に下げると、ディスプレイ本体１２０の移動は次のようになる。まず、バネによって矢印１００ｂの方向に付勢されたピン１２１ａが駆動モータ１５１によって位置２０１から位置２０２に徐々に速度を上げながら移動する。次いで、ピン１２１ａは一定の速度で位置２０２から位置２０３に移動した後、位置２０４に徐々に速度を下げながら移動する。最後に、駆動モータ１５１への動作電圧の負荷を停止すると、ピン１２１ａは位置２０４で停止する。したがって、ナビゲーション装置１００は、駆動モータ１５１に図１３（ａ）に示すような動作電圧を負荷した場合、ディスプレイ本体１２０が第２の位置上を通過する前から、駆動モータ１５１で駆動するディスプレイ本体１２０の移動速度を徐々に下げ、第２の位置近傍でのディスプレイ本体１２０の移動速度を比較的低速に抑えることができるので、駆動モータ１５１に図１１（ａ）に示すような動作電圧を負荷した場合と比較して慣性力が小さいためより正確に、ディスプレイ本体１２０を第２の位置で停止することができる。
【００５６】
また、ナビゲーション装置１００は、駆動モータ１５１に図１３（ａ）に示すような動作電圧を負荷した場合、ディスプレイ本体１２０が第２の位置上を通過する前から、駆動モータ１５１で駆動するディスプレイ本体１２０の移動速度を徐々に下げ、第２の位置近傍でのディスプレイ本体１２０の移動速度を比較的低速に抑えることができるので、駆動モータ１５１に図１１（ａ）に示すような動作電圧を負荷した場合と比較して、ディスプレイ本体１２０が第２の位置で停止する際のピン１２１ａ及び案内部材１４１の衝突音を抑制することができる。
【００５７】
なお、本実施の形態において、ディスプレイ本体１２０は、第２の位置及び第３の位置にある場合、ディスプレイ本体移動孔１１０ｂから筐体１１０の外部に突出する構成となっていたが、本発明によれば、第２の位置及び第３の位置にある場合でも筐体１１０の外部に突出しない構成であっても良い。
【００５８】
また、本実施の形態においては、ディスプレイ本体１２０が３つの停止位置で停止するようになっていたが、本発明によれば、ディスプレイ本体１２０は、２つ以上の停止位置で停止することができる構成であれば良い。
【００５９】
また、本実施の形態においては、ディスプレイ装置としてナビゲーション装置を例にとって説明したが、本発明によれば、ディスプレイ装置は、ディスプレイ本体が移動可能であれば、ナビゲーション装置以外の装置であっても良い。
【００６０】
【発明の効果】
以上説明したように、本発明によれば、１方向の駆動力を加えることのみによって、ディスプレイ本体に複数の停止位置間を移動させることができるとともに、移動中のディスプレイ本体の表示面と他の部材との擦り合いを防止することができるディスプレイ装置を提供することができる。
【図面の簡単な説明】
【図１】（ａ）本発明の一実施の形態に係るナビゲーション装置の、ディスプレイ本体が第１の位置にある状態での外観斜視図
（ｂ）図１（ａ）に示すナビゲーション装置の、ディスプレイ本体が第２の位置にある状態での外観斜視図
（ｃ）図１（ａ）に示すナビゲーション装置の、ディスプレイ本体が第３の位置にある状態での外観斜視図
【図２】図１（ａ）に示すナビゲーション装置のディスプレイ本体周辺の、ディスプレイ本体が第１の位置にある状態でのディスプレイ本体の表示面側からの斜視図
【図３】図１（ａ）に示すナビゲーション装置のディスプレイ本体周辺の、ディスプレイ本体が第１の位置にある状態でのディスプレイ本体の表示面とは反対側からの斜視図
【図４】図１（ａ）に示すナビゲーション装置のディスプレイ本体周辺の、ディスプレイ本体が第２の位置にある状態でのディスプレイ本体の表示面側からの斜視図
【図５】図１（ａ）に示すナビゲーション装置のディスプレイ本体周辺の、ディスプレイ本体が第２の位置にある状態でのディスプレイ本体の表示面とは反対側からの斜視図
【図６】図１（ａ）に示すナビゲーション装置のディスプレイ本体周辺の、ディスプレイ本体が第３の位置にある状態でのディスプレイ本体の表示面側からの斜視図
【図７】図１（ａ）に示すナビゲーション装置のディスプレイ本体周辺の、ディスプレイ本体が第３の位置にある状態でのディスプレイ本体の表示面とは反対側からの斜視図
【図８】（ａ）図１（ａ）に示すナビゲーション装置の、ディスプレイ本体が第１の位置にある状態での断面図
（ｂ）図１（ａ）に示すナビゲーション装置の、ディスプレイ本体が第２の位置にある状態での断面図
（ｃ）図１（ａ）に示すナビゲーション装置の、ディスプレイ本体が第３の位置にある状態での断面図
【図９】（ａ）図１（ａ）に示すナビゲーション装置の、ディスプレイ本体が第１の位置と第２の位置との間の位置にある状態での断面図
（ｂ）図１（ａ）に示すナビゲーション装置の、ディスプレイ本体が第１の位置と第３の位置との間の位置にある状態での断面図
【図１０】（ａ）図１（ａ）に示すナビゲーション装置の、カムの形状の一例を表すカム周辺の側面図
（ｂ）図１（ａ）に示すナビゲーション装置の、図１０（ａ）に示す例とは異なるカムの形状の例を表すカム周辺の側面図
（ｃ）図１（ａ）に示すナビゲーション装置の、図１０（ａ）及び図１０（ｂ）に示す例とは異なるカムの形状の例を表すカム周辺の側面図
【図１１】（ａ）図１（ａ）に示すナビゲーション装置の駆動モータに負荷する動作電圧の一例を表す図
（ｂ）図１１（ａ）に示す動作電圧が負荷された駆動モータに供給される電流を表す図
（ｃ）図１１（ａ）に示す動作電圧が負荷された駆動モータによって駆動されるディスプレイ本体の移動速度を表す図
【図１２】（ａ）図１（ａ）に示すナビゲーション装置の駆動モータに負荷する動作電圧の図１１（ａ）とは異なる例を表す図
（ｂ）図１２（ａ）に示す動作電圧が負荷された駆動モータに供給される電流を表す図
（ｃ）図１２（ａ）に示す動作電圧が負荷された駆動モータによって駆動されるディスプレイ本体の移動速度を表す図
【図１３】（ａ）図１（ａ）に示すナビゲーション装置の駆動モータに負荷する動作電圧の図１１（ａ）及び図１２（ａ）とは異なる例を表す図
（ｂ）図１３（ａ）に示す動作電圧が負荷された駆動モータに供給される電流を表す図
（ｃ）図１３（ａ）に示す動作電圧が負荷された駆動モータによって駆動されるディスプレイ本体の移動速度を表す図
【図１４】（ａ）従来のナビゲーション装置の、ディスプレイ本体が第１の位置にある状態での外観斜視図
（ｂ）図１４（ａ）に示すナビゲーション装置の、ディスプレイ本体が第２の位置にある状態での外観斜視図
（ｃ）図１４（ａ）に示すナビゲーション装置の、ディスプレイ本体が第３の位置にある状態での外観斜視図
【図１５】（ａ）図１４（ａ）に示すナビゲーション装置の、ディスプレイ本体が第１の位置にある状態での断面図
（ｂ）図１４（ａ）に示すナビゲーション装置の、ディスプレイ本体が第２の位置にある状態での断面図
（ｃ）図１４（ａ）に示すナビゲーション装置の、ディスプレイ本体が第３の位置にある状態での断面図
【図１６】（ａ）図１４（ａ）に示すナビゲーション装置の、ディスプレイ本体が第１の位置から後退した位置にある状態での断面図
（ｂ）図１４（ａ）に示すナビゲーション装置の、ディスプレイ本体が第２の位置から後退した位置にある状態での断面図
（ｃ）図１４（ａ）に示すナビゲーション装置の、ディスプレイ本体が第３の位置から後退した位置にある状態での断面図
【符号の説明】
１００      ナビゲーション装置（ディスプレイ装置）
１２０      ディスプレイ本体
１２０ａ      表示面
１２１、１２２      側面部
１２１ａ、１２１ｂ、１２２ａ、１２２ｂ      ピン
１４１、１４２      案内部材
１４１ａ、１４１ｂ、１４２ａ、１４２ｂ      カム（案内溝）
１４１ａ3、１４１ａ4      接触部分
１５１      駆動モータ
【図１】
0004373623.tif 000002
【図２】
0004373623.tif 000003
【図３】
0004373623.tif 000004
【図４】
0004373623.tif 000005
【図５】
0004373623.tif 000006
【図６】
0004373623.tif 000007
【図７】
0004373623.tif 000008
【図８】
0004373623.tif 000009
【図９】
0004373623.tif 000010
【図１０】
0004373623.tif 000011
【図１１】
0004373623.tif 000012
【図１２】
0004373623.tif 000013
【図１３】
0004373623.tif 000014
【図１４】
0004373623.tif 000015
【図１５】
0004373623.tif 000016
【図１６】
0004373623.tif 000017